(57)【要約】 【課題】  別の錠を付加することなく、ヘルメットの盗難を防止できる自転車用サークル錠を提供すること。【解決手段】正面視円弧状の錠本体１と、前記錠本体１内に収容され且つ錠本体１の円弧形状に倣って施錠又は開錠位置に移動せしめられる円弧状の閂杆２と、軸挿入孔Ｈ（凹み部）と軸体Ｊ（突起部）のうちの一方を有し且つ閂杆２と一体的に移動するブロック（操作摘まみ）と、前記錠本体１又はこれより突出する部分に設けられた軸挿入孔Ｈと軸体Ｊのうちの他方を備えており、閂杆２が施錠位置にあるときには軸体Ｊが軸挿入孔Ｈに嵌入されて錠本体１との関係で閉ループＲＰが形成され、閂杆２が開錠位置にあるときには軸体Ｊは軸挿入孔Ｈから抜けて閉ループＲＰが解除される。【選択図面】  図３
0003113449.tif 000002
【実用新案登録請求の範囲】
【請求項１】
正面視円弧状の錠本体と、前記錠本体内に収容され且つ錠本体の円弧形状に倣って施錠又は開錠位置に移動せしめられる円弧状の閂杆と、凹み部と突起部のうちの一方を有し且つ閂杆と一体的に移動するブロックと、前記錠本体又はこれより突出する部分に設けられた凹み部と突起部のうちの他方を備えており、閂杆が施錠位置にあるときには突起部が凹み部に嵌入されて錠本体との関係で閉ループが形成され、閂杆が開錠位置にあるときには突起部は凹み部から抜けて閉ループが解除されることを特徴とする自転車用サークル錠。
【請求項２】
閉ループにヘルメットの止め紐が挿通された状態ではヘルメットは取り外しできず、閉ループが解除された状態ではヘルメットは取り外しできるようになっていることを特徴とする請求項１記載の自転車用サークル錠。
【請求項３】
ブロックは、閂杆を移動させるための操作摘まみであることを特徴とする請求項１記載の自転車用サークル錠。
【請求項４】
凹み部は軸挿入孔であり、突起部は軸体であることを特徴とする請求項１乃至３のいずれかに記載の自転車用サークル錠。
【考案の詳細な説明】
【技術分野】
【０００１】
この考案は、自転車用サークル錠、特に、別の錠を付加することなく、ヘルメットの盗難を防止できる自転車用サークル錠に関するものである。
【背景技術】
【０００２】
最近、自転車による事故が多く、特に、自転車転倒事故による子供の怪我が増加している。事故の種類としては、乗車時のスピードの出し過ぎによる転倒、自転車や二輪車との接触による転倒、子供用座席がついた自転車で子供を載せた状態での転倒がほとんどであるが、この種の事故は頭部の損傷という重大な事態を招くことがある。
【０００３】
上記事態から、転車に乗る際にヘルメットの着用が非常に重要であることが明らかであり、自治体などが自転車乗車時においてはへルメットの着用を義務付ける動きがでてきた。
【０００４】
しかしながら、自転車による出先において降車してヘルメットが不要となったときには、ヘルメットの持ち運びが面倒なため、ヘルメットを座席やハンドル部に引っ掛けたりして自転車から離れるということが起こり得るが、この場合確実に盗難にあってしまう。
【０００５】
上記問題を解決するための一手段として、市販のワイヤー錠を使用してヘルメットを自転車に取り付けることも考えられるが、この場合、別に錠を購入しなければならいという経済的負担、自転車とは別に錠と対応するキーを常時持ち歩かなければならないという面倒さ、を強いられることになる。
【０００６】
したがって、自転車を取り扱う業界では、ヘルメットの盗難回避に関して、別の錠を購入しなければならいという経済的負担、自転車とは別に錠と対応するキーを常時持ち歩かなければならないという面倒さを伴わない手段を模索している。
【特許文献１】特開２００２−２９５１００
【考案の開示】
【考案が解決しようとする課題】
【０００７】
そこでこの考案では、別の錠を付加することなく、ヘルメットの盗難を防止できる自転車用サークル錠を提供することを課題とする。
【課題を解決するための手段】
【０００８】
（請求項１記載の考案）
この発明の自転車用サークル錠は、正面視円弧状の錠本体と、前記錠本体内に収容され且つ錠本体の円弧形状に倣って施錠又は開錠位置に移動せしめられる円弧状の閂杆と、凹み部と突起部のうちの一方を有し且つ閂杆と一体的に移動するブロックと、前記錠本体又はこれより突出する部分に設けられた凹み部と突起部のうちの他方を備えており、閂杆が施錠位置にあるときには突起部が凹み部に嵌入されて錠本体との関係で閉ループが形成され、閂杆が開錠位置にあるときには突起部は凹み部から抜けて閉ループが解除される。
（請求項２記載の考案）
この発明の自転車用サークル錠は、上記請求項１記載の発明に関し、閉ループにヘルメットの止め紐が挿通された状態ではヘルメットは取り外しできず、閉ループが解除された状態ではヘルメットは取り外しできるようになっている。
（請求項３記載の考案）
この発明の自転車用サークル錠は、上記請求項１記載の発明に関し、ブロックは、閂杆を移動させるための操作摘まみである。
（請求項４記載の考案）
この発明の自転車用サークル錠は、上記請求項１乃至のいずれかに記載の発明に関し、凹み部は軸挿入孔であり、突起部は軸体である。
【考案の効果】
【０００９】
この考案の自転車用サークル錠を採用すると、別の錠を付加することなく、ヘルメットの盗難を防止できる。
【考案を実施するための最良の形態】
【００１０】
以下にこの考案の自転車用サークル錠を実施するための最良の形態としての実施例について詳細に説明する。
【実施例１】
【００１１】
図１はこの考案の実施例の自転車の一部及び自転車用サークル錠の斜視図、図２は前記自転車用サークル錠にヘルメットを取り付けた状態を示す斜視図、図３はタイプ１の自転車用サークル錠の断面図、図４は前記タイプ１の自転車用サークル錠が開錠状態の正面図、図５は前記タイプ１の自転車用サークル錠の施錠状態の側面図、図６は前記タイプ１の自転車用サークル錠の施錠状態の側面図を示している。
（自転車への自転車用サークル錠ＳＫの取り付けと基本的機能について）
自転車用サークル錠ＳＫは、図１や図２に示すように、サドルシート９の後方下部に位置するシートステー９０，９０相互間部分にボルト・ナット９１等を介して取り付けられており、図２に示す如く施錠状態としたときには後輪９２のスポーク９３，９３間に閂杆２が挿通させた後輪回転不能状態に、図１に示す如く開錠状態としたときには後輪９２のスポーク９３，９３間に閂杆２は挿通されていない後輪回転可能状態に、なるものとしてある。
（この実施例の自転車用サークル錠ＳＫの基本的構成について）
上記自転車用サークル錠ＳＫは、図１や図２に示すように、正面視円弧状の錠本体１と、前記錠本体１内に収容され且つ錠本体１の円弧形状に倣って施錠位置（図２参照）又は開錠位置（図１参照）に移動せしめられる円弧状の閂杆２と、軸挿入孔Ｈ（凹み部に相当する）を有し且つ閂杆２と一体的に移動する操作摘まみ３０と、前記錠本体１又はこれから突出する部分に設けられた軸体Ｊ（突起部に相当する）を備えており、閂杆２が施錠位置にあるときには軸体Ｊが軸挿入孔Ｈに嵌入されて錠本体１との関係で図２や図５の二点鎖線に示す閉ループＲＰが形成され、閂杆２が開錠位置にあるときには図１や図５の実線に示す如く軸体Ｊは軸挿入孔Ｈから抜けて閉ループＲＰが解除されるものとしてある。そして、図２に示す如く上記閉ループＲＰにヘルメット１００の止め紐１０１が挿通された状態ではヘルメット１００は取り外し不能であり、閉ループＲＰが解除（開状態に）された状態ではヘルメット１００は取り外し可能になっている。
（タイプ１の自転車用サークル錠ＳＫの場合の構成について）
この自転車用サークル錠ＳＫは、図３に示すように、錠本体１の左半分を一端開放の筒状部１０により、右半分を厚肉板１１により、それぞれ構成してあり、前記筒状部１０内に円弧状の閂杆２を出没可能に挿入すると共に、前記閂杆２は通常時において、バネ３の付勢力により筒状部１０内に没入した状態となるようにしてある。
【００１２】
閂杆２は、図３に示すように、錠本体１の外側域に設けられた操作摘まみ３０と一体化されており、錠本体１に形成された図３や図５に示すガイド溝１２に沿って前記操作摘まみ３０を移動させることにより、没入位置（開錠位置）から突出位置（施錠位置）に変化させ得るようにしてある。ここで、この閂杆２には、図３に示すように、上記施錠位置において後述するレバー４０が嵌まり込む係止溝２０が設けられており、レバー４０が係止溝２０に嵌まり込むことによりバネ３の付勢力に抗して閂杆２が施錠位置で止まるようになっている。なお、前記閂杆２の施錠位置においては、図３に示すように錠本体１の右半分の端部に設けた凹み部１３に閂杆２の先端部が嵌まり込むようになっている。
【００１３】
施錠機構４は、図３に示すように、上記筒状部１０の開放端近傍の外側部分に突出する態様で設けられている。この施錠機構４では、図３に示すように、上記レバー４０は筒状部１０内に突出する方向にバネ４１により付勢されていると共に、図１に示す専用キーＫを使用によりバネ４１の付勢力に抗して係止溝２０からレバー４０を引き抜く方向に移動できるようにしてある。よって、操作摘まみ３０を引き下げて閂杆２を開錠位置から施錠位置に移動させたときには閂杆２の施錠状態は維持され、専用キーＫを操作したときには閂杆２は施錠位置から開錠位置にバネ復帰することになる。
【００１４】
軸体Ｊは、図５に示すように、施錠機構４近傍に設けたブロック５０に設けられており、当該軸体Ｊと錠本体１との間にヘルメット１００の止め紐１０１が余裕を持って挿入できる程度の位置に配置してある。
【００１５】
軸挿入孔Ｈは、図５に示すように、操作摘まみ３０に設けられており、当該軸挿入孔Ｈと錠本体１との間にヘルメット１００の止め紐１０１が余裕を持って挿入できる程度の位置に配置してある。
【００１６】
そして、上記操作摘まみ３０を介して閂杆２がバネ３の付勢力に抗して開錠位置から施錠位置に移動させられたときには、図５の二点鎖線や図６に示すように、軸体Ｊは軸挿入孔Ｈに嵌まり込んだ状態となり、錠本体１との関係で閉ループＲＰが形成されるようになっている。なお、閂杆２が開錠位置に戻ったときには軸体Ｊは軸挿入孔Ｈから抜けて閉ループＲＰが解除される。
【００１７】
この自転車用サークル錠ＳＫは上記のような構成であるから、操作摘まみ３０を指で摘んで引き下げて閂杆２を開錠位置から施錠位置に変化させると、係止溝２０にレバー４０が嵌まり込んで施錠状態が維持される。これと同時に軸体Ｊは軸挿入孔Ｈに嵌まり込んだ状態となり、錠本体１との関係で閉ループＲＰが形成される。
【００１８】
したがって、軸体Ｊにヘルメット１００の止め紐１０１を引っ掛けておき、操作摘まみ３０を指で摘んで引き下げる（一動作）だけで、自転車の施錠が完了する共に止め紐１０１を介してヘルメット１００が取り外し不能となる。逆に、専用キーＫを使用して、自転車を開錠状態にするととヘルメット１００が取り外し可能となる。つまり、この自転車用サークル錠ＳＫによると、別の錠を付加することなく、ヘルメット１００の盗難を防止できることが明らかである。
（タイプ２の自転車用サークル錠ＳＫの場合の構成について）
図７はタイプ２の自転車用サークル錠の断面図、図８は前記タイプ１の自転車用サークル錠の正面図を示している。
【００１９】
この自転車用サークル錠ＳＫは、図７に示すように、電動モータ６により正・逆回転せしめられる歯車６０と、連続する多数の歯２０’を有する閂杆２’とを、前記歯車６０の歯と歯２０’を歯合させる態様で設け、前記電動モータ６０の正・逆回転に伴って閂杆２’が進退移動するようにしてあると共に、閂杆２’が前進移動したときには同図の二点鎖線で示す施錠状態となり、後退移動したときには同図の実線で示す開錠状態となるようにしてある。
【００２０】
ここで、この自転車用サークル錠ＳＫでは、図８に示すように電動式であるが故に操作摘まみに相当するものは存在しないが、これにかえて、錠本体１’に形成したガイド溝（図示せず）を介して閂杆２’と一体的に移動するブロック５１を設け、前記ブロック５１に軸挿入孔Ｈを設けてある。また、錠本体１’における閂杆２’の出没端側にブロック５２を設け、前記ブロック５２に軸体Ｊを設けてある。そして、電動モータ６０の駆動力により、施錠状態では軸体Ｊが軸挿入孔Ｈに嵌まり込んだ状態となり、開錠状態では軸体Ｊは抜け出た状態となるようにしてある。
【００２１】
したがって、このタイプ２の自転車用サークル錠ＳＫにおいても、上記したタイプ１のものと同様に、別の錠を付加することなく、ヘルメット１００の盗難を防止できることが明らかである。
（他のタイプの自転車用サークル錠について）
上記した軸挿入孔Ｈと軸体Ｊは、(1) 自転車用サークル錠が施錠状態にあるときは、軸体Ｊが軸挿入孔Ｈに嵌まり込み、開錠状態にあるときには軸体Ｊが軸挿入孔Ｈから抜け出ること、(2) 軸体Ｊが軸挿入孔Ｈに嵌まり込んだ状態においてヘルメット１００の止め紐１０１が挿通される閉ループＲＰが形成されること、を満たすものであれば、いずれの位置に設けるようにしてもよい。
（閉ループＲＰを利用した盗難防止の対象となるものについて）
上記実施例では、ヘルメット１００を盗難防止の対象としたが、これに限定されることなく、傘の持手部にリング体を取り付け、このリング体を構成する線材を閉ループＲＰに通す対象で取り付けるようにしてもよい。
【００２２】
その他、極一時的にその場を離れるだけであれば、バッグの把手を構成する紐を閉ループＲＰに通す対象で取り付けるようにしてもよい。
（その他）
請求項１記載の発明におけるブロックとは、軸挿入孔が形成される塊、又は軸体が形成される塊を指すが、これに限定されることなく、軸体そのものがブロックである場合も含まれる。
【００２３】
上記実施例では、凹み部として軸挿入孔Ｈを採用し、突起部として軸体Ｊを採用しているが、これに限定されることなく、別の形状でもよい。例えば、突起部をＵ字形状とし、凹み部を長孔とすることができる。
【図面の簡単な説明】
【００２４】
【図１】この考案の実施例の自転車の一部及び自転車用サークル錠の斜視図。
【図２】前記自転車用サークル錠にヘルメットを取り付けた状態を示す斜視図。
【図３】タイプ１の自転車用サークル錠の断面図。
【図４】前記タイプ１の自転車用サークル錠が開錠状態の正面図。
【図５】前記タイプ１の自転車用サークル錠の施錠状態の側面図。
【図６】前記タイプ１の自転車用サークル錠の施錠状態の側面図。
【図７】タイプ２の自転車用サークル錠の断面図。
【図８】前記タイプ２の自転車用サークル錠の正面図。
【符号の説明】
【００２５】
ＳＫ      自転車用サークル錠
Ｈ        軸挿入孔
Ｊ        軸体
１        錠本体
２        閂杆
３        バネ
ＲＰ      閉ループ
【図１】
0003113449.tif 000003
【図２】
0003113449.tif 000004
【図３】
0003113449.tif 000005
【図４】
0003113449.tif 000006
【図５】
0003113449.tif 000007
【図６】
0003113449.tif 000008
【図７】
0003113449.tif 000009
【図８】
0003113449.tif 000010